(57)【要約】【課題】過渡応答振動中における振動干渉をなくすとともに、捻りモーメントなどの影響を受け難い防水型のロードセルをコンパクトなもとして提供する。【解決手段】固定側部位と可動側部位の上部同士および下部同士を上方梁８および下方梁９でそれぞれ連結してなる平行四辺形型の荷重受け構造体１の内部空間に、ベローズ２で起歪部を密封した防水型のロードセル本体３を設け、ロードセル本体３の両端部３ａ，３ｂを荷重受け構造体１における固定側部位および可動側部位にそれぞれ連結固定する。【選択図】図２
2014169950.tif 000002
【特許請求の範囲】
【請求項１】
固定側部位と可動側部位の上部同士および下部同士を、上方梁および下方梁でそれぞれ連結してなる平行四辺形型の荷重受け構造体の内部空間に、ベローズで起歪部を密封した防水型のロードセル本体を設け、
前記ロードセル本体の両端部が、前記荷重受け構造体における前後方向の一端側の前記固定側部位および他端側の前記可動側部位にそれぞれ連結固定される、
ことを特徴とするロードセル。
【請求項２】
前記荷重受け構造体を上下に二分割構造とし、前記ロードセル本体の両端部を、荷重受け構造の上部分割体と下部分割体との間に挟持固定する、
請求項１に記載のロードセル。
【請求項３】
前記荷重受け構造体の固定側部位又は可動側部位に連結孔を形成し、前記ロードセル本体における固定側の端部又は可動側の端部を前記連結孔に嵌入連結する、
請求項１に記載のロードセル。
【請求項４】
前記ロードセル本体の端部を、前記荷重受け構造体の連結孔に焼き嵌めにより連結固定する、
請求項３に記載のロードセル。
【請求項５】
前記ロードセル本体は、該ロードセル本体の前記両端部の中間に単一の前記起歪部を備え、
前記起歪部の中心が、前記荷重受け構造体における前後方向の中間位置および左右方向の中間位置になるように位置設定される、
請求項１ないし４のいずれかに記載のロードセル。
【請求項６】
前記ロードセル本体は、前記固定側部位と前記可動側部位の上部同士および下部同士を、上方梁および下方梁でそれぞれ連結してなる平行四辺形型であって、該ロードセル本体の前記上方梁および前記下方梁は、一対の起歪部をそれぞれ有し、
前記起歪部の中心が、前記荷重受け構造体における左右方向の中間位置になるように位置設定される、
請求項１ないし４のいずれかに記載のロードセル。
【発明の詳細な説明】
【技術分野】
【０００１】
本発明は、重量選別機、重量式液体充填機、台秤、計量タンク、計量ホッパ等の各種計量装置に用いられる荷重検出用のロードセルに関し、更に詳しくは、防水型のロードセルに関する。
【背景技術】
【０００２】
歪量を検出する歪センサの一種である歪ゲージを、起歪体に貼着して、負荷荷重による起歪部の伸縮量を歪ゲージの抵抗値変化による電気信号に変換して負荷荷重の大きさに比例する荷重信号を発生するロードセルにおいて、前記起歪部等を密封して外部環境から保護するものとして、例えば、特許文献１に示す防水型のロードセルがある。
【０００３】
この特許文献１のロードセルでは、平行四辺形型の荷重受け機構、いわゆるロバーバル機構の可動部位の変位を、防水型に構成したロードセル本体の着力点に可撓性を備えたリンク機構を介して伝達するように構成している。
【先行技術文献】
【特許文献】
【０００４】
【特許文献１】特開昭５８−７３８２１号公報
【発明の概要】
【発明が解決しようとする課題】
【０００５】
上記構成のロードセルにおいては、可撓性を備えたリンク機構の導入によって、偏って印加された荷重によってロバーバル機構に与えられる捻りモーメントや曲げモーメントがロードセル本体に及ぶことを抑制しながら、ロバーバル機構に加えられ垂直成分の荷重だけをロードセル本体で検出することができるものであるが、ロバーバル機構の可動部位とロードセル本体の着力点との間に介在されるリンク機構のバネ性によって、荷重印加直後の過渡応答振動中にロバーバル機構の振動とロードセル本体の振動とが互いに干渉し、計測精度に影響を及ぼすものであった。
【０００６】
すなわち、ロバーバル機構の固有振動数とロードセル本体の固有振動数を一致させることは困難であり、また荷重の掛かり方によって双方の振動の位相が異なるので、過渡応答振動中において、ロバーバル機構の過渡応答振動信号が、ロードセル本体の過渡応答振動信号に不規則な周期および振幅のノイズ信号として重畳することになり、フィルタの設定も困難になり、過渡応答信号の収束前に短時間で計量を終了させる必要のある重量選別機などの計量装置に用いる場合、精度の高い計測を行うことが困難である。
【０００７】
本発明は、このような実情に着目してなされたものであって、過渡応答振動中における振動干渉をなくすとともに、捻りモーメントなどの影響を受け難い防水型のロードセルをコンパクトなもとして提供することを目的とする。
【課題を解決するための手段】
【０００８】
上記目的を達成するために、本発明では次のように構成している。
【０００９】
（１）本発明のロードセルは、固定側部位と可動側部位の上部同士および下部同士を、上方梁および下方梁でそれぞれ連結してなる平行四辺形型の荷重受け構造体の内部空間に、ベローズで起歪部を密封した防水型のロードセル本体を設け、
前記ロードセル本体の両端部が、前記荷重受け構造体における前後方向の一端側の前記固定側部位および他端側の前記可動側部位にそれぞれ連結固定される。
【００１０】
本発明によると、ロードセル本体の両端部が荷重受け構造体の前後方向の固定側部位と可動側部位に亘って両持ち梁状に強固に一体連結されるので、全体としてはロードセル本体と荷重受け構造体の各バネ定数を加算したバネ定数を持ち、一種類の高い固有振動数を持つ一自由度の質量・バネ系として作動する。従って、振動系としての過渡応答が速く、演算処理回路のフィルタについて多くの周波数に対するノッチ周波数特性を持つものを従属接続させる必要はなく、それだけ荷重信号の応答遅れが少なくなって速やかな計測が行える。
【００１１】
また、平行四辺形型の荷重受け構造体の内部空間に、防水型のロードセル本体を設けるので、ロードセル本体の起歪部を、平行四辺形型の荷重受け構造体の上方および下方の梁の、前後方向の間であって、かつ、左右方向の間に位置させることができ、偏荷重の印加によって荷重受け構造体に捻りモーメントや曲げモーメントが作用してもロードセル本体の起歪部への影響を抑制して精度の高い荷重検出が可能になるとともに、コンパクトな構成となる。
【００１２】
（２）本発明の他の実施態様では、前記荷重受け構造体を上下に二分割構造とし、前記ロードセル本体の両端部を、荷重受け構造の上部分割体と下部分割体との間に挟持固定する。
【００１３】
この実施態様によると、荷重受け構造体とロードセル本体の連結が挟持連結だけであり、組付け操作が容易なものとなる。
【００１４】
（３）本発明の更に他の実施態様では、前記荷重受け構造体の固定側部位又は可動側部位に連結孔を形成し、前記ロードセル本体における固定側の端部又は可動側の端部を前記連結孔に嵌入連結する。
【００１５】
この実施態様によると、嵌合による高い精度でロードセル本体の端部を荷重受け構造体に連結することができる。
【００１６】
（４）上記（３）の実施態様では、前記ロードセル本体の端部を、前記荷重受け構造体の連結孔に焼き嵌めにより連結固定してもよい。
【００１７】
この実施態様によると、嵌合部での連結強度が極めて高いものとなり、ロードセル本体の端部と荷重受け構造体との一体化を一層強固なものとすることができる。
【００１８】
（５）本発明の更に他の実施態様では、前記ロードセル本体は、該ロードセル本体の前記両端部の中間に単一の前記起歪部を備え、
前記起歪部の中心が、前記荷重受け構造体における前後方向の中間位置および左右方向の中間位置になるように位置設定される。
【００１９】
この実施態様によると、偏荷重の印加によって荷重受け構造体がその中心軸心周りの捻りモーメントを受けてもロードセル本体における起歪部への影響が少なく、精度の高い荷重検出が可能となる。
【００２０】
（６）本発明の他の実施態様では、前記ロードセル本体は、前記固定側部位と前記可動側部位の上部同士および下部同士を、上方梁および下方梁でそれぞれ連結してなる平行四辺形型であって、該ロードセル本体の前記上方梁および前記下方梁は、一対の起歪部をそれぞれ有し、
前記起歪部の中心が、前記荷重受け構造体における左右方向の中間位置になるように位置設定される。
【００２１】
この実施態様によると、荷重受け構造体とロードセル本体とを同じ平行四辺形状に撓ませて精度の高い荷重検出が可能となる。
【発明の効果】
【００２２】
本発明によれば、過渡応答振動中における振動干渉をなくすとともに、捻りモーメントなどの影響を受け難い防水型のロードセルをコンパクトなもとして提供することができる。
【図面の簡単な説明】
【００２３】
【図１】図１は本発明の一実施形態のロードセルの外観斜視図である。
【図２】図２は図１のロードセルの一部を切欠いた正面図である。
【図３】図３は図１のロードセルの分解斜視図である。
【図４】図４は図１のロードセルの可動側から見た側面図である。
【図５】図５は図１のロードセル本体の一部を切欠いた正面図である。
【図６】図６は図１のロードセル本体の平面図である。
【図７】図７は荷重印加状態を示す模擬作動図である。
【図８】図８は他の実施形態のロードセルの外観斜視図である。
【図９】図９は図８のロードセルの一部を切欠いた正面図である。
【図１０】図１０は図８のロードセルの分解斜視図である。
【図１１】図１１は更に他の実施形態のロードセルの外観斜視図である。
【図１２】図１２は図１１のロードセルの一部を切欠いた正面図である。
【図１３】図１３は図１１のロードセルの分解斜視図である。
【図１４】図１４は他の実施形態のロードセルの一部を切欠いた正面図である。
【発明を実施するための形態】
【００２４】
以下、本発明の実施の形態について、図面を参照しながら説明する。
【００２５】
(実施形態１)
図１は、本発明の一実施形態のロードセルの外観斜視図であり、図２はその一部を切欠いた正面図であり、図３はその分解斜視図であり、図４は可動側から見た側面図であり、図５は図１のロードセル本体の一部を切欠いた正面図である。
【００２６】
この実施形態のロードセルは、平行四辺形型に構成された荷重受け構造体１の内部空間に、金属製のベローズ２で歪ゲージ部分を密封した防水型のロードセル本体３を、構造体長手方向の中心軸心ｐに沿って水平に配置して両持ち梁状に連結した構造となっている。荷重受け構造体１およびロードセル本体３は、アルミニウムや鉄、ステンレス合金などの金属弾性体から成る。
【００２７】
荷重受け構造体１は、図２に示すように、一端側を固定基材４に連結し、他端側を載台５に連結する。
【００２８】
このロードセルでは、載台５に作用する荷重によって荷重受け構造体１が平行に変形して可動側部位が垂直下方に変位し、この下方変位に伴ってロードセル本体３が歪変形されることで、加えられた荷重を電気的に演算計測するための荷重計測機構が構成される。なお、以下、説明の便宜上、前記中心軸心ｐの方向を前後方向、これと直交する水平方向を横方向と呼称する。
【００２９】
荷重受け構造体１は、上部分割体１Ａと下部分割体１Ｂとに二分割されており、これら両分割体１Ａ，１Ｂにおける前後の端部間にロードセル本体３の両端部３ａ，３ｂを上下に挟持してボルト６，７で連結固定する。これによって、全体として、固定基材４に連結される固定側部位と載台５が連結される可動側部位との上部同士および下部同士を、上方梁８および下方梁９でそれぞれ平行に連結した平行四辺形型の荷重受け構造体１が構成される。
【００３０】
上方梁８を形成する上部分割体１Ａは、その前後２箇所に所定間隔をもって薄肉の起歪部１１を備えた前後に長いブロック状に構成されるとともに、下方梁９を形成する下部分割体１Ｂも同様に、その前後２箇所に上方梁８の各起歪部１１に対向する薄肉の起歪部１２を備えた前後に長いブロック状に構成されている。そして、組上げられた荷重受け構造体１が、図４に示す載台５から受ける横方向（図４の左右方向）に偏った荷重によって生じる中心軸心ｐ周りの捻りモーメントに耐える剛性を備えるように、両分割体１Ａ，１Ｂの横幅が設定されている。
【００３１】
ロードセル本体３は、荷重受け構造体１の上部分割体１Ａと下部分割体１Ｂの固定側端部の間に挟持される端部（以下、「固定側端部」という）３ａが、上部分割体１Ａおよび下部分割体１Ｂの横幅と同幅の角ブロック状に形成されるとともに、上部分割体１Ａと下部分割体１Ｂの可動側端部の間に挟持される端部（以下、「可動側端部」という）３ｂが幅狭の角軸状に形成されている。
【００３２】
荷重受け構造体１の固定側においては、上方分割体１Ａとロードセル本体３の固定側端部３ａとに亘って挿通したボルト６を下方分割体１Ｂにねじ込むことで、固定側端部３ａを上部分割体１Ａと下部分割体１Ｂとの間に挟持して一体連結する。また、荷重受け構造体１の可動側においては、上部分割体１Ａとロードセル本体３の可動側端部３ｂとに亘って挿通したボルト７を下部分割体１Ｂにねじ込むことで、可動側端部３ｂを上部分割体１Ａと下部分割体１Ｂとの間に挟持して一体連結するようになっている。
【００３３】
このようにロードセル本体３の両端部３ａ，３ｂを、両分割体１Ａ，１Ｂ間に挟持固定し、起歪部を密封したベローズ２を、荷重受け構造体１の内部空間に配置するので、コンパクトな構成とすることができる。
【００３４】
ロードセル本体３の中央側は、図２、図５、および、図６のロードセル本体３の平面図に示すように、丸軸状に形成され、この丸軸状部分の前後中央箇所が上下から湾曲切削されて、応力を集中させる薄肉の起歪部１６が形成される。
【００３５】
この起歪部１６の最も薄肉の中心ｃが、荷重受け構造体１における前後方向（図２および図５の左右方向）の中間位置および左右方向（図６の上下方向）の中間位置になるように位置設定される。ここで、中間位置とは、前後方向および左右方向の中央位置であるのが好ましいが、厳密に中央位置である必要はなく、近傍のずれた位置であってもよい。
【００３６】
この実施形態では、起歪部１６の中心ｃが、荷重受け構造体１の、上下方向および左右方向の中心を通る中心軸心ｐ上で、かつ、図２に示すように、上下の梁８，９の固定側の起歪部１１，１２の中心を結ぶ中心線Ｌ１と可動側の起歪部１１，１２の中心を結ぶ中心線Ｌ２とから等距離にある前後方向の中央点を通る中心線Ｌ上に位置するように各部が寸法設定されている。
【００３７】
この実施形態のロードセル本体３では、応力集中部位である起歪部１６は、１本の梁の一箇所だけに設けるので、その分、ロードセル本体３の梁の長さを短くすることができ、コンパクトな構成となる。
【００３８】
なお、他の実施形態として、応力集中部位を、１本の梁の一箇所だけに設けるのではなく、ロードセル本体３荷重受け構造体１の上下の梁８，９の固定側の起歪部１１，１２の中心を結ぶ中心線Ｌ１に対応する位置と、可動側の起歪部１１，１２の中心を結ぶ中心線Ｌ２とに対応する位置との二箇所に薄肉の起歪部１６を形成してもよい。
【００３９】
図３および図４に示すように、上部分割体１Ａにおける下側の横一側縁と、下部分割体１Ｂにおける上側の横一側縁に沿って角形の突条１３，１４がそれぞれ形成されるとともに、ロードセル本体３における固定側端部３ａの上下横側縁に沿って角形の切欠き溝１５が形成されている。これら突条１３，１４と切欠き溝１５とを係合させることで、ロードセル本体３における角ブロック状の固定側端部３ａを上部分割体１Ａと下部分割体１Ｂに対して横幅方向に正しく位置決めすることができる。
【００４０】
また、ロードセル本体３における角ブロック状の固定側端部３ａを上部分割体１Ａと下部分割体１Ｂに対して前後方向に正しく位置決めすることができるように、上部分割体１Ａにおける下側の前後方向の一側縁と、下部分割体１Ｂにおける上側の前後方向の一側縁に沿って、ロードセル本体３の固定側端部３ａの上下の端面がそれぞれ当接する段部３０，３１が形成されている。
【００４１】
このように横幅方向および前後方向に正しく位置決めされて、起歪部１６の中心ｃを、荷重受け構造体１の中心軸心ｐ上で、かつ、中心線Ｌ上に位置させることができる。
【００４２】
起歪部１６の前後における丸軸状部分には、フランジ部１７が形成され、両フランジ部１７に亘って円筒状のベローズ２が外嵌されてＴＩＧ溶接あるいはレーザー溶接によって固定され、もって、起歪部１６が密封されている。
【００４３】
ロードセル本体３における起歪部１６の上下面には、ホイートストンブリッジ回路（図示せず）に接続される４つの歪ゲージ１８が、起歪部１６の中心ｃを挟んで前後対称に一対ずつの貼付け固定されている。各歪ゲージ１８の図示されていない導線が、図５および図６に示すロードセル本体３に穿設された細孔１９を通してロードセル本体３の外端に開口する配線孔２０に導かれ、ハーメチックシール部２１を介して外部導線２２に接続されている。ハーメチックシール部２１は、配線接続用ピンが埋め込まれたセラミック板の外周が金属枠で囲まれた端子板（図示せず）の前記金属枠を、配線孔２０の周壁に溶接し、外部配線孔２０からの外気の流入を遮断する一方、前記配線接続用ピンを介して外部配線孔２０の内外を気密に接続する。
【００４４】
この実施形態に係るロードセルは以上のように構成されており、載台５に作用する荷重によって荷重受け構造体１が平行に撓み変形して、可動側部位が垂直に下方変位し、この下方変位によって、荷重受け構造体１の中心軸心ｐに沿って配置したロードセル本体３が起歪部１６において撓み変形する。この変形による歪が、ロードセル本体３に貼付けられた４個の歪ゲージ１８の抵抗値変化として検出され、加えられた荷重が所定の演算式に基づいて算出される。
【００４５】
この場合、図７の模擬作動図に示すように、ロードセル本体３における起歪部１６が、略Ｓ字状に歪変形することで、この起歪部１６の中心ｃを挟んで前後対称に配置された上下一対ずつの歪ゲージ１８の内、上側の歪ゲージにおいては、固定部側の歪ゲージ１８ｔに引張歪が、可動部側の歪ゲージ１８ｃに圧縮歪がそれぞれ発生し、また、下側の歪ゲージにおいては、固定部側の歪ゲージ１８ｃに圧縮歪が、可動部側の歪ゲージ１８ｔに引張歪がそれぞれ発生する。
【００４６】
これらの歪による抵抗値変化に基づいて、ホイートストンブリッジ回路では、加えられた荷重Ｆが演算される。
【００４７】
また、ロードセル本体３の両端部３ａ，３ｂが、荷重受け構造体１の固定側部位と可動側部位に亘って両持ち梁状に強固に一体連結されるので、全体としては、ロードセル本体３と荷重受け構造体１の各バネ定数を加算したバネ定数を持ち、一種類の高い固有振動数を持つ一自由度の質量・バネ系として作動する。従って、振動系としての過渡応答が速く、演算処理回路のフィルタについて多くの周波数に対するノッチ周波数特性を持つものを従属接続させる必要はなく、それだけ荷重信号の応答遅れが少なくなって速やかな計測が行える。
【００４８】
また、ロードセル本体３の起歪部１６の中心ｃが、荷重受け構造体１の中心軸心ｐに配置されるので、図４に示す載台５から受ける横方向に偏った荷重によって生じる中心軸心ｐ周りの捻りモーメントを受けてもロードセル本体３の起歪部１６への影響が少なく、精度の高い荷重検出が可能となる。
【００４９】
(実施形態２)
図８は、本発明の他の実施形態のロードセルの外観斜視図であり、図９は、その一部を切欠いた正面図であり、図１０は、その分解斜視図である。
【００５０】
この実施形態のロードセルは、基本的には上記実施形態1と同様に、平行四辺形型に構成された荷重受け構造体１の内部空間に、実施形態１と同様な構造のロードセル本体３を配備して、荷重受け構造体１の固定側部位と可動側部位とに亘って両持ち梁状に連結したものであるが、荷重受け構造体１とロードセル本体３との連結構造が以下のように相違している。
【００５１】
すなわち、この実施形態においては、荷重受け構造体１は、単一素材を切削して上方梁８と下方梁９とが、固定側において一体に連設形成され、荷重受け構造体１の可動側において、上方梁８と下方梁９とが開口２３を介して分断されている。そして、この荷重受け構造体１の固定側部位に、外向きに段部２４を備えた円形の連結孔２５が荷重受け構造体１の中心軸心ｐに沿って形成されている。
【００５２】
他方、ロードセル本体３の固定側端部３ａが、荷重受け構造体１の上記連結孔２５に嵌入する径の丸軸状に形成されるとともに、ロードセル本体３の固定側端部３ｂが、荷重受け構造体１の上記開口２３の上下間隔と同寸法の高さを有する角軸状に形成されている。
【００５３】
ここで、ロードセル本体３における固定側端部３ａの外径が、ロードセル本体３における最大径に設定されており、ロードセル本体３をその可動端部３ｂ側から連結孔２５に挿入し、角軸状の可動側端部３ｂを開口２３に内側から挿入するとともに、ロードセル本体３の固定側端部３ａを連結孔２５の段部２４まで嵌入し、上方分割体１Ａと可動側端部３ｂとに亘って挿通したボルト７を下方分割体１Ｂにねじ込むことで、ロードセル本体３の可動側端部３ｂを上方分割体１Ａと下方分割体１Ｂとの間に挟持して一体連結するようになっている。
【００５４】
なお、丸軸状の固定側端部３ａと連結孔２５とを焼き嵌めにより連結することで、ロードセル本体３の固定側を荷重受け構造体１の固定側部位に強固に一体連結することができる。
【００５５】
以上のように、この実施形態では、荷重受け構造体１の固定側部位に、円形の連結孔２５を形成する一方、ロードセル本体３の固定側端部３ａを、上記連結孔２５に嵌入する丸軸状に形成し、このロードセル本体３の固定側端部３ａを連結孔２５に嵌入して連結するものである。
【００５６】
その他の構成および作用効果は、上記実施形態１と同様である。
【００５７】
(実施形態３)
図１１は、本発明の更に他の実施形態のロードセルの外観斜視図であり、図１２は、その一部を切欠いた正面図であり、図１３は、その分解斜視図である。
【００５８】
この実施形態のロードセルは、基本的には上記実施形態２と同様に、荷重受け構造体１が、単一素材を切削して上方梁８と下方梁９とが固定側において一連に形成されるとともに、荷重受け構造体１の可動側において、上方梁８と下方梁９とが上下間隔の大きい開口２３を介して分断されている。そして、荷重受け構造体１の固定側部位に、内向きに段部２４を備えた円形の連結孔２５が荷重受け構造体１の中心軸心ｐに沿って形成されている。
【００５９】
他方、ロードセル本体３の固定側端部３ａが、荷重受け構造体１の上記連結孔２５に嵌入する径の丸軸状に形成されるとともに、ロードセル本体３の可動側端部３ｂが、荷重受け構造体１の上記開口２３の上下間隔より小さい高さを有する角軸状に形成されている。
【００６０】
ここで、ロードセル本体３におけるベローズ２の外径がロードセル本体３の最大径となるように、固定側端部３ａの外径、および、可動側端部３ｂの外形が設定されており、かつ、荷重受け構造体１における可動側の開口２３の上下間隔がベローズ２の外径よりも大きく設定されている。
【００６１】
従って、組付けに際しては、ロードセル本体３をその固定側端部３ａから開口２３に挿通し、丸軸状の固定側端部３ａを連結孔２５の段部２４まで嵌入し、開口２３に挿通された可動側端部３ｂと上方梁８との間、および、可動側端部３ｂと下方梁９との間にスペーサ２６，２７を挿入介在した後、上方分割体１Ａ、上側のスペーサ２６、可動側端部３ｂ、および、下側のスペーサ２７とに亘って挿通したボルト７を下方梁９にねじ込むことで、ロードセル本体３の可動側端部３ｂを上方分割体１Ａと下方分割体１Ｂとの間にスペーサ２６，２７を介在挟持して一体連結するようになっている。
【００６２】
また、丸軸状の固定側端部３ａと連結孔２５とは焼き嵌めにより連結することで、ロードセル本体３の固定側を荷重受け構造体１の固定側部位に強固に一体連結することができる。
【００６３】
その他の構成および作用効果は、上記実施形態１と同様である。
【００６４】
(他の実施形態)
本発明は、以下のような形態で実施することもできる。
【００６５】
（１）上記実施形態１において、ロードセル本体３における角ブロック状の固定側端部３ａを上方分割体１Ａと下方分割体１Ｂに対して正しく位置決めする手段として、ノックピンを利用したり、ボルト６をリーマボルトにして位置決め機能をもたせることも可能である。
【００６６】
（２）上記実施形態２および実施形態３では、ロードセル本体３の固定側端部３ａを荷重受け構造体１における固定側部位に形成した連結孔２５に挿入して連結固定し、ロードセル本体３の可動側端部３ｂを荷重受け構造体１の可動側部位にボルト固定しているが、逆に、ロードセル本体３の可動側端部３ｂを丸軸状に形成して、荷重受け構造体１の可動側部位に形成した連結孔に挿入して連結固定するとともに、ロードセル本体３の固定側端部３ａを角軸状に形成して、荷重受け構造体１の固定側部位に形成した開口に挿入してボルト連結する形態で実施することもできる。
【００６７】
（３）ロードセル本体３の起歪部１６を密封するベローズ２は、耐久性の面からは金属ベローズを用いることが望ましいが、ロードセルの使用条件によっては安価なゴムベローズを用いることも可能である。
【００６８】
（４）上記実施形態３において、荷重受け構造体１における固定側部位に形成する連結孔２５を内拡がりのテーパー孔にするとともに、ロードセル本体３の固定側端部３ａを先狭まりのテーパーコーン形に形成することで、連結孔２５にロードセル本体の固定側端部３ａを密着嵌合して連結することもでき、これによると、ロードセル本体３が故障したような場合にその取替えが可能となる。
【００６９】
（５）ロードセル本体３は、上記実施形態のような１本の梁からなる起歪部１６に限らず、種々の構成を採用することができ、例えば、図１４に示すように、平行四辺形型の荷重受け構造体１に比べて、前後方向、左右方向、及び、上下方向の各寸法が十分に小さい平行四辺形型の２本の梁を備える小型のロードセル３´で構成してもよい。この場合、小型のロードセル３´には、上下２本の梁に、平行四辺形型の荷重受け構造体１と同様に、前後２箇所に薄肉の一対の起歪部３ｃ´，３ｄ´をそれぞれ形成し、小型のロードセル３´と平行四辺形型の荷重受け構造体１の中心軸心ｐを一致させる。この場合、ロードセル３´の各起歪部３ｃ´，３ｄ´の中心は、荷重受け構造体１における左右方向（厚み方向）の中間位置にある。
【００７０】
ロードセル本体が平行四辺形型であれば、荷重受け構造体１の固定側の起歪部１１，１２及び可動側の起歪部１１，１２の各中心をそれぞれ結ぶ中心線Ｌ１，Ｌ２に対して、ロードセル３´の固定側の起歪部３ｃ´，３ｄ´及び可動側の起歪部３ｃ´，３ｄ´の各中心をそれぞれ結ぶ中心線Ｌ１´，Ｌ２´が異なる部位にあっても、起歪部３ｃ´，３ｄ´に所定の圧縮歪、伸長歪（引張歪）を生じさせることができる。なお、図１４では、荷重受け構造体１の前記中心線Ｌ１，Ｌ２に対して、ロードセル３´の前記中心線Ｌ１´，Ｌ２´が一致している場合を示している。また、図１４では、上述の各実施形態に対応する部分には、同一の参照符号を付している。
【符号の説明】
【００７１】
１                荷重受け構造体
１Ａ              上部分割体
１Ｂ              下部分割体
２                ベローズ
３                ロードセル本体
３ａ              固定側の端部
３ｂ              可動側の端部
８                上方梁
９                下方梁
１６              起歪部
２５              連結孔
ｃ                起歪部の中心
Ｌ                中心線
ｐ                中心軸心
【図１】
2014169950.tif 000003
【図２】
2014169950.tif 000004
【図３】
2014169950.tif 000005
【図４】
2014169950.tif 000006
【図５】
2014169950.tif 000007
【図６】
2014169950.tif 000008
【図７】
2014169950.tif 000009
【図８】
2014169950.tif 000010
【図９】
2014169950.tif 000011
【図１０】
2014169950.tif 000012
【図１１】
2014169950.tif 000013
【図１２】
2014169950.tif 000014
【図１３】
2014169950.tif 000015
【図１４】
2014169950.tif 000016